(57)【要約】【課題】  雪止部への積雪荷重によって取付板部が反り上がり変形することなく、尚且つ量産性にも秀れた雪止金具を提供すること。【解決手段】  屋根に取り付けするための取付板部１の先端部に雪止部２を設けた雪止金具において、前記取付板部１の先端部を側方から見て略へ字状若しくは略アングル状に屈曲形成して上方に山形に突設する先端屈曲部を形成し、この先端折曲部を前記雪止部２とし、この取付板部１と雪止部２とは、一枚の金属板をプレス成形する。【選択図】      図２
2005076205.tif 000002
【特許請求の範囲】
【請求項１】
屋根に取り付けするための取付板部の先端部に雪止部を設けた雪止金具において、前記取付板部の先端部を側方から見て略へ字状若しくは略アングル状に屈曲形成して上方に山形に突設する先端屈曲部を形成し、この先端折曲部を前記雪止部とし、この取付板部と雪止部とは、一枚の金属板をプレス成形して成ることを特徴とする雪止金具。
【請求項２】
前記雪止部は、屋根傾斜上方側に配設する雪止板部と、屋根傾斜下方側に配設する支持板部とから成り、雪止板部でせき止めた雪の荷重を、支持板部の先端部が屋根面に当接して支える構成としたことを特徴とする請求項１記載の雪止金具。
【請求項３】
前記雪止部は、屋根面に対する前記雪止板部の傾斜度よりも、屋根面に対する前記支持板部の傾斜度の方が緩傾斜度となるように構成したことを特徴とする請求項２記載の雪止金具。
【請求項４】
一枚の金属板をプレス成形して前記取付板部と前記雪止部とを成形する際、同時に、雪止部の先端部に屋根面に面接する面接板部を成形したことを特徴とする請求項１〜３のいずれか１項に記載の雪止金具。
【請求項５】
一枚の金属板をプレス成形して前記取付板部と前記雪止部とを成形する際、同時に、少なくとも雪止部に補強リブを成形したことを特徴とする請求項１〜４のいずれか１項に記載の雪止金具。
【発明の詳細な説明】
【技術分野】
【０００１】
本発明は、家屋などの屋根上に設置する雪止金具に関する。
【背景技術】
【０００２】
屋根に取り付けするための取付板部20の先端部を直角上方へ屈曲形成し、この断面Ｌ字状をなす先端屈曲（立設）部を雪止部21とした雪止金具が公知である（図３参照）。
【発明の開示】
【発明が解決しようとする課題】
【０００３】
このような従来の雪止金具は、雪止部21に雪24の荷重がかかると、この荷重が雪止部21を屋根傾斜下方側へ倒そうとする力として作用するため、雪止部21が屈曲部25を支点にして屋根傾斜下方側へ倒れてしまうことがある。
【０００４】
そして、この際、雪止部21から屈曲部25にかけての部位が、補強構造（図面では補強リブ23）によってほとんど変形しないため、図３中に想像線で示したように取付板部20が上方へ反り上がり変形してしまい、これが原因で取付板部20に重合する屋根板22が割れたり、雨漏りが生じたりするという問題があった。
【０００５】
本発明は、このような取付板部と雪止部とが一体物で構成された従来の雪止金具の問題点に着眼し、雪止部への積雪荷重によって取付板部が反り上がり変形することなく、尚且つ量産性にも秀れた雪止金具を提供することが技術的課題である。
【課題を解決するための手段】
【０００６】
添付図面を参照して本発明の要旨を説明する。
【０００７】
屋根に取り付けするための取付板部１の先端部に雪止部２を設けた雪止金具において、前記取付板部１の先端部を側方から見て略へ字状若しくは略アングル状に屈曲形成して上方に山形に突設する先端屈曲部を形成し、この先端折曲部を前記雪止部２とし、この取付板部１と雪止部２とは、一枚の金属板をプレス成形して成ることを特徴とする雪止金具に係るものである。
【０００８】
また、前記雪止部２は、屋根傾斜上方側に配設する雪止板部２Ａと、屋根傾斜下方側に配設する支持板部２Ｂとから成り、雪止板部２Ａでせき止めた雪７の荷重を、支持板部２Ｂの先端部が屋根面に当接して支える構成としたことを特徴とする請求項１記載の雪止金具に係るものである。
【０００９】
また、前記雪止部２は、屋根面に対する前記雪止板部２Ａの傾斜度よりも、屋根面に対する前記支持板部２Ｂの傾斜度の方が緩傾斜度となるように構成したことを特徴とする請求項２記載の雪止金具に係るものである。
【００１０】
また、一枚の金属板をプレス成形して前記取付板部１と前記雪止部２とを成形する際、同時に、雪止部２の先端部に屋根面に面接する面接板部３を成形したことを特徴とする請求項１〜３のいずれか１項に記載の雪止金具に係るものである。
【００１１】
また、一枚の金属板をプレス成形して前記取付板部１と前記雪止部２とを成形する際、同時に、少なくとも雪止部２に補強リブ４を成形したことを特徴とする請求項１〜４のいずれか１項に記載の雪止金具に係るものである。
【発明の効果】
【００１２】
本発明は上述のように構成したから、雪止部の基部（屋根の傾斜上方側部）に雪の荷重（雪止部の基部を屋根傾斜下方側へ倒そうとする荷重）がかかっても、側方から見て略へ字状若しくは略アングル状に屈曲形成して上方に山形に突設する雪止部は、屋根傾斜下方側の先端部が屋根面に当接して雪の荷重に抗するためにこの雪止部の基部が屋根傾斜下方側へ倒れることが阻止されることになり、よって従来例のような取付板部の反り上がり変形は生じることがなく、これを原因とした屋根板の破損も雨漏りも防止できることになり、しかも、取付板部と雪止部とは、一枚の金属板を一回プレス成形することによって成形できるため、量産性に秀れ安価な製品を提供可能となるなど、極めて実用性に秀れた画期的な雪止金具となる。
【００１３】
また、請求項２記載の発明においては、前記作用効果を確実に発揮する雪止部を簡易に設計実現可能となる一層実用性に秀れた構成の雪止金具となる。
【００１４】
また、請求項３記載の発明においては、屋根面に対し緩やかに傾斜する支持板部が屋根面と雪止板部との間で良好な支持作用を発揮して、雪止部が倒れないように雪の荷重を支えることになり、しかも、雪止板部においては、この支持板部より屋根面に対して急角度で傾斜しているために、良好な雪止効果を発揮することになるなど、一層実用性に秀れた構成の雪止金具となる。
【００１５】
また、請求項４記載の発明においては、雪止部の先端部（面接板部）と屋根面との当接面積が大きいため、例えば雪止部の先端部が屋根面に線接触する構成に比べると屋根（屋根板など）に加わる雪の荷重が分散して屋根を傷付けにくいし、当接時の摩擦抵抗が大きいために、雪止部でせき止めた雪の荷重を一層確固に支えることができ、その上、この面接板部は、一枚の金属板をプレス成形して取付板部と雪止部とを成形する際に同時に成形するため、極めて容易に設計実現可能となるなど、一層実用性に秀れた雪止金具となる。
【００１６】
また、請求項５記載の発明においては、補強リブによって少なくとも雪止部は一層秀れた耐雪荷重性能を発揮することになり、しかも、この補強リブは、一枚の金属板をプレス成形して取付板部と雪止部とを成形する際に同時に成形するため、極めて容易に設計実現可能となるなど、一層実用性に秀れた雪止金具となる。
【発明を実施するための最良の形態】
【００１７】
好適と考える本発明の最良の形態（発明をどのように実施するのが最良か）を、図面に基づいて本発明の作用効果を示して簡単に説明する。
【００１８】
重合する屋根板５間に取付板部１を挟み込んで固定し、本発明品を屋根に取り付けると、上方に山形に突設する雪止部２の基部（屋根の傾斜上方側部）によって屋根上の雪７がせき止められる。
【００１９】
そして、この雪止部２の基部にせき止めた雪７の荷重（雪止部２の基部を屋根傾斜下方側へ倒そうとする荷重）がかかると、この雪止部２は、屋根傾斜下方側の先端部が屋根面に当接して雪７の荷重に抗するために、この雪止部２の基部が屋根傾斜下方側へ倒れることが防止されることになる。
【００２０】
更に具体的には、例えば図２に示すように、略へ字状若しくは略アングル状に屈曲する雪止部２の、屋根傾斜上方側に位置する基部側の雪止板部２Ａで雪７がせき止められ、このせき止めた雪７の荷重が雪止板部２Ａを屋根傾斜下方側へ倒そうとする力として作用するが、この際、雪止部２の、屋根傾斜下方側に位置する先端側の支持板部２Ｂの先端部が屋根面に当接し、この支持板部２Ｂが屋根面と雪止板部２Ａとの間で所謂筋違のような機能を果たして雪７の荷重を支えるため、この雪止部２（雪止板部２Ａ）が屋根傾斜下方側へ倒れることが阻止されることになる。
【００２１】
従って、本発明は、雪止部２が雪７の荷重によって倒れないから従来例のような取付板部１の反り上がり変形は生じず、この取付板部１に重合する屋根板５の破損や雨漏りも生じないことになる。
【００２２】
また、本発明は、単に、一枚の金属板をプレス成形することで、取付板部１の先端部に、側方から見て略へ字状若しくは略アングル状に屈曲して上方に山形に突設する雪止部２（先端屈曲部）を一体的に設けた本雪止金具を構成できる。
【実施例】
【００２３】
本発明の具体的な実施例について図面に基づいて説明する。
【００２４】
本実施例は、図１に示すように、取付板部１の先端部を側方から見て略へ字状若しくは略アングル状に屈曲形成して上方に山形（三角形）に突設する先端屈曲部を形成し、この先端折曲部を雪止部２としている。
【００２５】
具体的には、この取付板部１と雪止部２とは、一枚の帯状の金属板をプレス成形することにより構成している。
【００２６】
また、雪止部２は、取付板部１側（基部側）に位置する斜設板部を雪止板部２Ａとし、頂部屈曲部２Ｃより先端側に位置する斜設板部を支持板部２Ｂとしている。従って、支持板部２Ｂを屋根の傾斜下方側へ向けて本雪止金具を屋根に取り付けすると、雪止板部２Ａで雪７をせき止めることができ、且つ雪止板部２Ａを屋根傾斜下方側へ倒そうとする荷重を、支持板部２Ｂの先端部が屋根面（屋根板５）に当接することで支えることができる構成としている。
【００２７】
尚、この雪止部２の形状は、基部側に雪止板部２Ａがあって、先端側に支持板部２Ｂがある形状、即ち、上方に略三角形山形に突設する形状であれば、どのような形状でも良いが、特に本実施例では、図２に示すように、屋根面に対する前記雪止板部２Ａの傾斜度よりも、屋根面に対する前記支持板部２Ｂの傾斜度の方が緩傾斜度となるように構成し、これにより、屋根面に対し緩やかに傾斜する支持板部２Ｂが屋根面と雪止板部２Ａとの間で良好な支持作用（筋違機能）を発揮し、且つこの支持板部２Ｂより屋根面に対して急角度で傾斜する雪止板部２Ａが良好な雪止効果を発揮するように構成している。
【００２８】
更に詳しくは、雪止板部２Ａは、屋根面に対して直角よりもやや緩やかな角度で立ち上がるように急傾斜させ、支持板部２Ｂは、この雪止板部２Ａよりも長さを長くして屋根面に対し緩やかに傾斜するように設けている。
【００２９】
また、本実施例では、一枚の金属板をプレス成形して前記取付板部１と前記雪止部２とを成形する際、同時に、雪止部２の先端部（支持板部２Ｂの先端部）に屋根面に面接する面接板部３を成形している。
【００３０】
具体的には、支持板部２Ｂの先端部をその延長外側に向けて屈曲して取付板部１と略面一となる板部を形成し、この板部を面接板部３としている。即ち、本実施例では、図２に示すように取付板部１を屋根面（屋根板５）上に載置すると、同時に面接板部３も屋根面上に面接する構成としているもので、これにより本雪止金具を屋根に対して取付固定すれば、前記雪止機能がすぐに発揮される構成としている。
【００３１】
また、本実施例では、一枚の金属板をプレス成形して前記取付板部１と前記雪止部２とを成形する際、同時に、雪止部２に補強リブ４を成形している。
【００３２】
具体的には、雪止部２の長さ方向に沿った長さを有する補強リブ４を、頂部屈曲部２Ｃ位置も含めてこの雪止部２の長さ方向の広範囲に設けると共に、この補強リブ４は雪止部２の長さ方向と直交する方向に複数本（図面では三本）並設状態に設けて、この雪止部２の広範囲に存する複数本の補強リブ４によって雪止部２が非常に高い耐変形強度を発揮するように構成している。
【００３３】
また、雪止部２の先端側の屈曲部（前記面接板部３との連設部）と、基端側の屈曲部とにも補強突部６をプレス成形により形成してこの部位の強度を向上させている。
【００３４】
従って、本実施例では、補強リブ４及び補強突部６によって雪止部２及び雪止部２近傍の屈曲部分の強度を非常に高くし、これによってこの部位に変形を生じず、極めて良好な雪止機能を発揮し得るように構成している。
【００３５】
図中符号８は取付板部１を屋根に釘などによって止着するための止孔である。
【００３６】
次に、本実施例の作用を説明する。
【００３７】
取付板部１を、重合する屋根板５間に挟み込みすると共に、その基端部を止孔８を介して屋根に釘打ちするなどして固定し、本雪止金具を屋根に取り付ける。
【００３８】
すると、屋根上の雪７は雪止部２の基部の雪止板部２Ａにせき止められるが、このせき止めた雪７の荷重によって雪止部２（雪止板部２Ａ）が（屋根傾斜下方側へ押し倒されそうになっても、屋根傾斜下方側の先端部の面接板部３が屋根板５の板面に面接当接しているため、この面接板部３と連設する支持板部２Ｂが屋根面と雪止板部２Ａとの間で突っ張って所謂筋違のような役割を果たし、この支持板部２Ｂが雪７の荷重を強固に支えることとなるため雪止部２が倒れることは阻止されることになる。
【００３９】
従って、この支持板部２Ｂの突っ張り支持構造により、雪止部２（雪止板部２Ａ）が雪７の荷重によって屋根傾斜下方側へ倒れることはなく、よって、従来例のような取付板部１の反り上がり変形は生じず、屋根板５の破損や雨漏りも生じないことになる。
【００４０】
尚、本発明は、実施例に限られるものではなく、各構成要件の具体的構成は適宜設計し得るものである。
【図面の簡単な説明】
【００４１】
【図１】本実施例を示す斜視図である。
【図２】本実施例の使用状態を示す説明図である。
【図３】従来例の使用状態を示す説明図である。
【符号の説明】
【００４２】
１  取付板部
２  雪止部
２Ａ  雪止板部
２Ｂ  支持板部
３  面接板部
４  補強リブ
７  雪
【図１】
2005076205.tif 000003
【図２】
2005076205.tif 000004
【図３】
2005076205.tif 000005
【手続補正書】
【提出日】平成16年4月28日(2004.4.28)
【手続補正１】
【補正対象書類名】特許請求の範囲
【補正対象項目名】全文
【補正方法】変更
【補正の内容】
【特許請求の範囲】
【請求項１】
屋根に取り付けするための取付板部の先端部に雪止部を設けた雪止金具において、前記取付板部の先端部を側方から見て略へ字状若しくは略アングル状に屈曲形成して上方に山形に突設する先端屈曲部を形成し、この先端折曲部を屋根傾斜上方側に配設する雪止板部と、屋根傾斜下方側に配設する支持板部とから成る前記雪止部とすると共に、この雪止部は、屋根面に対する前記雪止板部の傾斜度よりも、屋根面に対する前記支持板部の傾斜度の方が緩傾斜度となるように構成して、雪止板部でせき止めた雪の荷重を、支持板部の先端部が屋根面に当接して支える構成とし、この取付板部と雪止部とは、一枚の金属板をプレス成形して成ることを特徴とする雪止金具。
【請求項２】
一枚の金属板をプレス成形して前記取付板部と前記雪止部とを成形する際、同時に、雪止部の先端部に屋根面に面接する面接板部を成形したことを特徴とする請求項１記載の雪止金具。
【請求項３】
一枚の金属板をプレス成形して前記取付板部と前記雪止部とを成形する際、同時に、少なくとも雪止部に補強リブを成形したことを特徴とする請求項１，２のいずれか１項に記載の雪止金具。
【請求項４】
一枚の金属板をプレス成形して前記取付板部と前記雪止部とを成形する際、同時に、少なくとも雪止部に長さを有する補強リブを複数並設状態に成形したことを特徴とする請求項１〜３のいずれか１項に記載の雪止金具。
【手続補正２】
【補正対象書類名】明細書
【補正対象項目名】全文
【補正方法】変更
【補正の内容】
【発明の詳細な説明】
【技術分野】
【０００１】
本発明は、家屋などの屋根上に設置する雪止金具に関する。
【背景技術】
【０００２】
屋根に取り付けするための取付板部20の先端部を直角上方へ屈曲形成し、この断面Ｌ字状をなす先端屈曲（立設）部を雪止部21とした雪止金具が公知である（図３参照）。
【発明の開示】
【発明が解決しようとする課題】
【０００３】
このような従来の雪止金具は、雪止部21に雪24の荷重がかかると、この荷重が雪止部21を屋根傾斜下方側へ倒そうとする力として作用するため、雪止部21が屈曲部25を支点にして屋根傾斜下方側へ倒れてしまうことがある。
【０００４】
そして、この際、雪止部21から屈曲部25にかけての部位が、補強構造（図面では補強リブ23）によってほとんど変形しないため、図３中に想像線で示したように取付板部20が上方へ反り上がり変形してしまい、これが原因で取付板部20に重合する屋根板22が割れたり、雨漏りが生じたりするという問題があった。
【０００５】
本発明は、このような取付板部と雪止部とが一体物で構成された従来の雪止金具の問題点に着眼し、雪止部への積雪荷重によって取付板部が反り上がり変形することなく、尚且つ量産性にも秀れた雪止金具を提供することが技術的課題である。
【課題を解決するための手段】
【０００６】
添付図面を参照して本発明の要旨を説明する。
【０００７】
屋根に取り付けするための取付板部１の先端部に雪止部２を設けた雪止金具において、前記取付板部１の先端部を側方から見て略へ字状若しくは略アングル状に屈曲形成して上方に山形に突設する先端屈曲部を形成し、この先端折曲部を屋根傾斜上方側に配設する雪止板部２Ａと、屋根傾斜下方側に配設する支持板部２Ｂとから成る前記雪止部２とすると共に、この雪止部２は、屋根面に対する前記雪止板部２Ａの傾斜度よりも、屋根面に対する前記支持板部２Ｂの傾斜度の方が緩傾斜度となるように構成して、雪止板部２Ａでせき止めた雪７の荷重を、支持板部２Ｂの先端部が屋根面に当接して支える構成とし、この取付板部１と雪止部２とは、一枚の金属板をプレス成形して成ることを特徴とする雪止金具に係るものである。
【０００８】
また、一枚の金属板をプレス成形して前記取付板部１と前記雪止部２とを成形する際、同時に、雪止部２の先端部に屋根面に面接する面接板部３を成形したことを特徴とする請求項１記載の雪止金具に係るものである。
【０００９】
また、一枚の金属板をプレス成形して前記取付板部１と前記雪止部２とを成形する際、同時に、少なくとも雪止部２に補強リブ４を成形したことを特徴とする請求項１，２のいずれか１項に記載の雪止金具に係るものである。
【００１０】
また、一枚の金属板をプレス成形して前記取付板部１と前記雪止部２とを成形する際、同時に、少なくとも雪止部２に長さを有する補強リブ４を複数並設状態に成形したことを特徴とする請求項１〜３のいずれか１項に記載の雪止金具に係るものである。
【発明の効果】
【００１１】
本発明は上述のように構成したから、雪止部の基部（屋根の傾斜上方側部）に雪の荷重（雪止部の基部を屋根傾斜下方側へ倒そうとする荷重）がかかっても、側方から見て略へ字状若しくは略アングル状に屈曲形成して上方に山形に突設する雪止部は、屋根傾斜下方側の先端部が屋根面に当接して雪の荷重に抗するためにこの雪止部の基部が屋根傾斜下方側へ倒れることが阻止されることになり、よって従来例のような取付板部の反り上がり変形は生じることがなく、これを原因とした屋根板の破損も雨漏りも防止できることになり、しかも、取付板部と雪止部とは、一枚の金属板を一回プレス成形することによって成形できるため、量産性に秀れ安価な製品を提供可能となるなど、極めて実用性に秀れた画期的な雪止金具となる。
【００１２】
また、本発明においては、屋根面に対し緩やかに傾斜する支持板部が屋根面と雪止板部との間で良好な支持作用を発揮して、雪止部が倒れないように雪の荷重を支えることになり、しかも、雪止板部においては、この支持板部より屋根面に対して急角度で傾斜しているために、良好な雪止効果を発揮することになるなど、一層実用性に秀れた構成の雪止金具となる。
【００１３】
また、請求項２記載の発明においては、雪止部の先端部（面接板部）と屋根面との当接面積が大きいため、例えば雪止部の先端部が屋根面に線接触する構成に比べると屋根（屋根板など）に加わる雪の荷重が分散して屋根を傷付けにくいし、当接時の摩擦抵抗が大きいために、雪止部でせき止めた雪の荷重を一層確固に支えることができ、その上、この面接板部は、一枚の金属板をプレス成形して取付板部と雪止部とを成形する際に同時に成形するため、極めて容易に設計実現可能となるなど、一層実用性に秀れた雪止金具となる。
【００１４】
また、請求項３記載の発明においては、補強リブによって少なくとも雪止部は一層秀れた耐雪荷重性能を発揮することになり、しかも、この補強リブは、一枚の金属板をプレス成形して取付板部と雪止部とを成形する際に同時に成形するため、極めて容易に設計実現可能となるなど、一層実用性に秀れた雪止金具となる。
【００１５】
また、請求項４記載の発明においては、複数の補強リブによって少なくとも雪止部は一層秀れた耐雪荷重性能を発揮することになり、しかも、この複数の補強リブは、一枚の金属板をプレス成形して取付板部と雪止部とを成形する際に同時に成形するため、極めて容易に設計実現可能となるなど、一層実用性に秀れた雪止金具となる。
【発明を実施するための最良の形態】
【００１６】
好適と考える本発明の最良の形態（発明をどのように実施するのが最良か）を、図面に基づいて本発明の作用効果を示して簡単に説明する。
【００１７】
重合する屋根板５間に取付板部１を挟み込んで固定し、本発明品を屋根に取り付けると、上方に山形に突設する雪止部２の基部（屋根の傾斜上方側部）によって屋根上の雪７がせき止められる。
【００１８】
そして、この雪止部２の基部にせき止めた雪７の荷重（雪止部２の基部を屋根傾斜下方側へ倒そうとする荷重）がかかると、この雪止部２は、屋根傾斜下方側の先端部が屋根面に当接して雪７の荷重に抗するために、この雪止部２の基部が屋根傾斜下方側へ倒れることが防止されることになる。
【００１９】
更に具体的には、例えば図２に示すように、略へ字状若しくは略アングル状に屈曲する雪止部２の、屋根傾斜上方側に位置する基部側の雪止板部２Ａで雪７がせき止められ、このせき止めた雪７の荷重が雪止板部２Ａを屋根傾斜下方側へ倒そうとする力として作用するが、この際、雪止部２の、屋根傾斜下方側に位置する先端側の支持板部２Ｂの先端部が屋根面に当接し、この支持板部２Ｂが屋根面と雪止板部２Ａとの間で所謂筋違のような機能を果たして雪７の荷重を支えるため、この雪止部２（雪止板部２Ａ）が屋根傾斜下方側へ倒れることが阻止されることになる。
【００２０】
また、この際、屋根面に対し緩やかに傾斜する支持板部２Ｂが屋根面と雪止板部２Ａとの間で良好な支持作用を発揮して、雪止部２が倒れないように雪７の荷重を支えることになり、しかも、雪止板部２Ａにおいては、この支持板部２Ｂより屋根面に対して急角度で傾斜しているために、良好な雪止効果を発揮することになる。
【００２１】
従って、本発明は、雪止部２が雪７の荷重によって倒れないから従来例のような取付板部１の反り上がり変形は生じず、この取付板部１に重合する屋根板５の破損や雨漏りも生じないことになる。
【００２２】
また、本発明は、単に、一枚の金属板をプレス成形することで、取付板部１の先端部に、側方から見て略へ字状若しくは略アングル状に屈曲して上方に山形に突設する雪止部２（先端屈曲部）を一体的に設けた本雪止金具を構成できる。
【実施例】
【００２３】
本発明の具体的な実施例について図面に基づいて説明する。
【００２４】
本実施例は、図１に示すように、取付板部１の先端部を側方から見て略へ字状若しくは略アングル状に屈曲形成して上方に山形（三角形）に突設する先端屈曲部を形成し、この先端折曲部を雪止部２としている。
【００２５】
具体的には、この取付板部１と雪止部２とは、一枚の帯状の金属板をプレス成形することにより構成している。
【００２６】
また、雪止部２は、取付板部１側（基部側）に位置する斜設板部を雪止板部２Ａとし、頂部屈曲部２Ｃより先端側に位置する斜設板部を支持板部２Ｂとしている。従って、支持板部２Ｂを屋根の傾斜下方側へ向けて本雪止金具を屋根に取り付けすると、雪止板部２Ａで雪７をせき止めることができ、且つ雪止板部２Ａを屋根傾斜下方側へ倒そうとする荷重を、支持板部２Ｂの先端部が屋根面（屋根板５）に当接することで支えることができる構成としている。
【００２７】
尚、この雪止部２の形状は、基部側に雪止板部２Ａがあって、先端側に支持板部２Ｂがある形状、即ち、上方に略三角形山形に突設する形状であれば、どのような形状でも良いが、特に本実施例では、図２に示すように、屋根面に対する前記雪止板部２Ａの傾斜度よりも、屋根面に対する前記支持板部２Ｂの傾斜度の方が緩傾斜度となるように構成し、これにより、屋根面に対し緩やかに傾斜する支持板部２Ｂが屋根面と雪止板部２Ａとの間で良好な支持作用（筋違機能）を発揮し、且つこの支持板部２Ｂより屋根面に対して急角度で傾斜する雪止板部２Ａが良好な雪止効果を発揮するように構成している。
【００２８】
更に詳しくは、雪止板部２Ａは、屋根面に対して直角よりもやや緩やかな角度で立ち上がるように急傾斜させ、支持板部２Ｂは、この雪止板部２Ａよりも長さを長くして屋根面に対し緩やかに傾斜するように設けている。
【００２９】
また、本実施例では、一枚の金属板をプレス成形して前記取付板部１と前記雪止部２とを成形する際、同時に、雪止部２の先端部（支持板部２Ｂの先端部）に屋根面に面接する面接板部３を成形している。
【００３０】
具体的には、支持板部２Ｂの先端部をその延長外側に向けて屈曲して取付板部１と略面一となる板部を形成し、この板部を面接板部３としている。即ち、本実施例では、図２に示すように取付板部１を屋根面（屋根板５）上に載置すると、同時に面接板部３も屋根面上に面接する構成としているもので、これにより本雪止金具を屋根に対して取付固定すれば、前記雪止機能がすぐに発揮される構成としている。
【００３１】
また、本実施例では、一枚の金属板をプレス成形して前記取付板部１と前記雪止部２とを成形する際、同時に、雪止部２に補強リブ４を成形している。
【００３２】
具体的には、雪止部２の長さ方向に沿った長さを有する補強リブ４を、頂部屈曲部２Ｃ位置も含めてこの雪止部２の長さ方向の広範囲に設けると共に、この補強リブ４は雪止部２の長さ方向と直交する方向に複数本（図面では三本）並設状態に設けて、この雪止部２の広範囲に存する複数本の補強リブ４によって雪止部２が非常に高い耐変形強度を発揮するように構成している。
【００３３】
また、雪止部２の先端側の屈曲部（前記面接板部３との連設部）と、基端側の屈曲部とにも補強突部６をプレス成形により形成してこの部位の強度を向上させている。
【００３４】
従って、本実施例では、補強リブ４及び補強突部６によって雪止部２及び雪止部２近傍の屈曲部分の強度を非常に高くし、これによってこの部位に変形を生じず、極めて良好な雪止機能を発揮し得るように構成している。
【００３５】
図中符号８は取付板部１を屋根に釘などによって止着するための止孔である。
【００３６】
次に、本実施例の作用を説明する。
【００３７】
取付板部１を、重合する屋根板５間に挟み込みすると共に、その基端部を止孔８を介して屋根に釘打ちするなどして固定し、本雪止金具を屋根に取り付ける。
【００３８】
すると、屋根上の雪７は雪止部２の基部の雪止板部２Ａにせき止められるが、このせき止めた雪７の荷重によって雪止部２（雪止板部２Ａ）が（屋根傾斜下方側へ押し倒されそうになっても、屋根傾斜下方側の先端部の面接板部３が屋根板５の板面に面接当接しているため、この面接板部３と連設する支持板部２Ｂが屋根面と雪止板部２Ａとの間で突っ張って所謂筋違のような役割を果たし、この支持板部２Ｂが雪７の荷重を強固に支えることとなるため雪止部２が倒れることは阻止されることになる。
【００３９】
従って、この支持板部２Ｂの突っ張り支持構造により、雪止部２（雪止板部２Ａ）が雪７の荷重によって屋根傾斜下方側へ倒れることはなく、よって、従来例のような取付板部１の反り上がり変形は生じず、屋根板５の破損や雨漏りも生じないことになる。
【００４０】
尚、本発明は、実施例に限られるものではなく、各構成要件の具体的構成は適宜設計し得るものである。
【図面の簡単な説明】
【００４１】
【図１】本実施例を示す斜視図である。
【図２】本実施例の使用状態を示す説明図である。
【図３】従来例の使用状態を示す説明図である。
【符号の説明】
【００４２】
１  取付板部
２  雪止部
２Ａ  雪止板部
２Ｂ  支持板部
３  面接板部
４  補強リブ
７  雪